(57)【要約】【課題】本発明は、軸筒本体に対して加飾部の回転位置を容易に合わせることができ、加飾部を透視するために軸筒本体の一部が透過性を有していても外観へ与える影響が小さい筆記具を提供すること。【解決手段】軸筒本体２０と軸筒本体２０に収容した筆記体６とを備える筆記具であって、軸筒本体２０は、前軸２と、前軸２の後端部に連結される中間軸３と、中間軸３の後端部に連結される後軸４と、を具備してなり、中間軸３が、前軸２と連結する前軸連結部３Ａと、後軸４と連結する後軸連結部３Ｅと、前軸連結部３Ａと後軸連結部３Ｅとの間に内部を視認可能な透過部３Ｆと、を有し、中間軸３の内方に、中間軸３、前軸２、または後軸４のいずれか１箇所に対して回動不能に装着した筒状体１３を配する。【選択図】図１
2018001541.tif 000002
【特許請求の範囲】
【請求項１】
軸筒本体と該軸筒本体に収容した筆記体とを備える筆記具であって、
前記軸筒本体は、前軸と、該前軸の後端部に連結される中間軸と、該中間軸の後端部に連結される後軸と、を具備してなり、
前記中間軸が、前記前軸と連結する前軸連結部と、前記後軸と連結する後軸連結部と、当該前軸連結部と後軸連結部との間に内部を視認可能な透過部と、を有し、
前記前軸内に、前記中間軸の前軸連結部が連結され、
前記後軸内に、前記中間軸の後軸連結部が着脱可能に連結されており、
少なくとも前記前軸の中間軸との連結部と、前記後軸の中間軸との連結部とが内部を視認不可能な不透過部で構成され、
前記中間軸の内方に、該中間軸、前記前軸、または前記後軸のいずれか１箇所に対して回動不能に装着した筒状体を配してあり、
前記中間軸の透過部を介して前記筒状体を視認できるようにしたことを特徴とする筆記具。
【請求項２】
前記後軸または前記前軸の内面に凸状または凹状の係止部が設けられ、前記筒状体の外面に凹状または凸状の被係止部が設けられ、前記後軸または前記前軸の係止部を前記筒状体の被係止部に係止することで該後軸または該前軸に対して前記筒状体が回動不能に装着されることを特徴とする請求項１に記載の筆記具。
【請求項３】
前記中間軸の連結部に掛止部が設けられ、前記筒状体に被掛止部が設けられ、前記中間軸の掛止部を前記筒状体の被掛止部に掛止することで該中間軸に対して該筒状体が回動不能に装着されることを特徴とする請求項１に記載の筆記具。
【請求項４】
前記筒状体が、前記前軸、前記中間軸又は前記後軸のいずれか１箇所に対して着脱自在に装着されることを特徴とする請求項１ないし３のいずれか１項に記載の筆記具。
【発明の詳細な説明】
【技術分野】
【０００１】
本発明は、軸筒本体と、当該軸筒本体に収容した筆記体と、を備える筆記具に関する。
【背景技術】
【０００２】
従来、軸筒の一部ないし全体を透過性の高い材料で形成し、当該軸筒内部の構造や加飾部を外部から透視できるようにした筆記具として、特許文献１が知られている。
【０００３】
この特許文献１では、第一の筒状体の表面に図形や文字等を印刷等により塗布して加飾部を設け、透明な第二の筒状体に収容することで、長期使用しても前記第一の筒状体の表面や文字等の印刷面が磨耗することを防止することが可能な筆記具が開示されている。また、こうした加飾部を軸筒内に設けることで当該加飾部が磨耗などから守られる筆記具については、本願出願人も特許文献２にて、透明あるいは着色透明に形成した外軸の内部に内軸を配し、当該内軸に加飾を施した熱収縮フィルムを着脱自在に被せることで、加飾を施した熱収縮フィルムを容易に交換可能な筆記具を開示している。
【０００４】
しかしながら、軸筒の一部ないし軸筒全体を透過性の高い材料で形成して透過部を設ける場合、内部の部品に設けた加飾部と、軸筒に設けた窓部の回転位置あるいはクリップや印刷などの軸筒の外周部の回転位置とを合わせることが困難という問題があり、また、軸筒を透過性の高い材料とすることで、外観上見せたくない部分（例えば、螺子嵌合部や凹凸嵌合部など）まで外部から見えてしまうという問題があった。
【先行技術文献】
【特許文献】
【０００５】
【特許文献１】登録実用新案３１７２５５５号公報
【特許文献２】特許４６２５６６８号公報
【発明の概要】
【発明が解決しようとする課題】
【０００６】
本発明は、前記問題を鑑みて発明されたものであって、軸筒本体に対して加飾部の回転位置を容易に合わせることができ、当該加飾部を透視するために軸筒本体の一部が透過性を有していても外観へ与える影響が小さい筆記具を提供することである。
【０００７】
本発明は、
「１．軸筒本体と該軸筒本体に収容した筆記体とを備える筆記具であって、
前記軸筒本体は、前軸と、該前軸の後端部に連結される中間軸と、該中間軸の後端部に連結される後軸と、を具備してなり、
前記中間軸が、前記前軸と連結する前軸連結部と、前記後軸と連結する後軸連結部と、当該前軸連結部と後軸連結部との間に内部を視認可能な透過部と、を有し、
前記前軸内に、前記中間軸の前軸連結部が連結され、
前記後軸内に、前記中間軸の後軸連結部が着脱可能に連結されており、
少なくとも前記前軸の中間軸との連結部と、前記後軸の中間軸との連結部とが内部を視認不可能な不透過部で構成され、
前記中間軸の内方に、該中間軸、前記前軸、または前記後軸のいずれか１箇所に対して回動不能に装着した筒状体を配してあり、
前記中間軸の透過部を介して前記筒状体を視認できるようにしたことを特徴とする筆記具。
２．前記後軸または前記前軸の内面に凸状または凹状の係止部が設けられ、前記筒状体の外面に凹状または凸状の被係止部が設けられ、前記後軸または前記前軸の係止部を前記筒状体の被係止部に係止することで該後軸または該前軸に対して前記筒状体が回動不能に装着されることを特徴とする前記１項に記載の筆記具。
３．前記中間軸の連結部に掛止部が設けられ、前記筒状体に被掛止部が設けられ、前記中間軸の掛止部を前記筒状体の被掛止部に掛止することで該中間軸に対して該筒状体が回動不能に装着されることを特徴とする前記１項に記載の筆記具。
４．前記筒状体が、前記前軸、前記中間軸又は前記後軸のいずれか１箇所に対して着脱自在に装着されることを特徴とする前記１項ないし３項のいずれか１項に記載の筆記具。」である。
【０００８】
本発明では、少なくとも前記前軸の中間軸との連結部と、前記後軸の中間軸との連結部とが内部を視認不可能な不透過部で構成しているため、外観上、中間軸と前軸及び後軸との連結部が見えず外観を損なうことがない。また、筒状体が中間軸内に収容されているため、携帯時に筒状体の加飾部分が他の持ち物と接触することがなく、加飾部分の磨耗により外観が悪化することを防止できる。
尚、中間軸に用いる材料は、内部が透視できれば無色透明な材料でもよく、着色透明な材料を用いてもよい。また、中間軸の材料としては透明性を重視してポリカーボネート、ＡＢＳ樹脂などを用いることができる。
更に、前軸及び後軸に設ける不透過部は、予め着色した樹脂材料や連結部の表面を印刷や塗装等によって内部を視認不可能としてあれば、材料としてはポリカーボネート、ＡＢＳ樹脂などの樹脂材料や金属部品を用いることができる。
【０００９】
また、本発明では、筒状体を、前軸、中間軸、後軸で構成する軸筒本体とは別体で形成しているため、軸筒本体をデザインが重視された複雑な形状にしつつ、筒状体は印刷や塗装等により加飾しやすい形状にすることができ、筆記具内部の加飾と外観デザインとを両立させることができる。  
【００１０】
前記筒状体を前軸または後軸に対して回動不能に装着する場合、筒状体に設ける被係止部は、前軸または後軸に設ける係止部に対して回動不能に装着できれば、その形状、形態は問わないが、筒状体を前軸内または後軸内に装着する際、前軸又は後軸の内面に、前軸の後端または後軸の前端から軸心に沿った方向に突出するように筒状体を装着することで、前軸または後軸から突出した筒状体が中間軸を前軸または後軸へ連結する際のガイドとなり好ましい。
また、前軸の後端または後軸の前端から軸心に沿って突出する筒状体は、中間軸を前軸または後軸に連結する際、該中間軸がガイドされ、傾くことがない長さに設定することがより好ましい。
更に、前軸または後軸に対して筒状体を回動不能に係止しているため、前軸または後軸の外形状に加飾部の回転位置を合わせて装着することができる。
【００１１】
また、筒状体を中間軸に対して回動不能に装着する場合、筒状体の被掛止部は、中間軸に設ける掛止部に対して回動不能に装着できれば、その形状、形態は問わないが、中間軸から筒状体を透視した際に加飾部が綺麗に見えるように掛止部と被掛止部との連結部を外部から見えないようにすることが好ましい。具体的には筒状体に設ける被掛止部は中間軸から見えないように該筒状体の前軸連結部や後軸連結部の不透過部に対応する位置に設け、中間軸の掛止部は後軸や前軸によって隠れる連結部の後端または内面に設けるとよい。
この際、中間軸に対して筒状体を回動不能に掛止しているため、中間軸の外形状または中間軸に連結する前軸や後軸の外形状に加飾部の回転位置を合わせて中間軸に装着することができる。
【００１２】
また、前軸、中間軸又は後軸に対して筒状体を着脱自在に取り付けることで、筆記具を加飾する仕様と加飾しない仕様とを筒状体以外の部品構成は同じままで変えることができる。
更に、筒状体を軸筒本体に対して着脱可能に装着しているため、中間軸と後軸とのねじ込みを外すことで加飾部を設けた筒状体を容易に交換できる。
【００１３】
尚、本件における回動不能とは、前軸、中間軸、後軸及び筒状体のそれぞれの寸法許容差により発生した部品同士の隙間分程度を回転することを含み、個々の部品が破損せずに通常の力で回転するようなことがない状態を示すものとする。
【発明の効果】
【００１４】
本発明は、軸筒本体に対して加飾部の回転位置を容易に合わせることができ、加飾部を透視するために軸筒本体の一部が透過性を有していても外観へ与える影響が小さい筆記具を得ることができた。
【図面の簡単な説明】
【００１５】
【図１】第一の形態の筆記具の側面図である。
【図２】図１の筆記具の縦断面図である。
【図３】図２における前軸及びグリップの一部を省略した拡大断面図である。
【図４】図２における中間軸の一部を省略した拡大断面図である。
【図５】図２における筒状体の拡大側面図である。
【図６】図２における後軸の一部を省略した拡大断面図である。
【図７】図２のＡ−Ａ線における拡大断面図である。
【図８】中間軸と後軸の連結状態を示す説明図である。
【図９】第二の形態の筆記具の縦断面図である。
【図１０】図９における中間軸の一部を省略した拡大断面図である。
【図１１】図９における筒状体の拡大側面図である。
【図１２】図９のＢ−Ｂ線における拡大断面図である。
【発明を実施するための形態】
【００１６】
次に図面を参照しながら、本発明の筆記具の実施形態を説明するが、本発明は以下の実施形態に限定されるものではない。尚、筆記体の筆記部がある側を前方と表現し、その反対を後方と表現する。また、軸筒本体の軸心に近い側を内方と表現しその反対側を外方と表現する。
【００１７】
図１〜図８に示すように、本実施の第一の形態（実施例１）の筆記具１は、前軸２と、中間軸３と、後軸４とから軸筒本体２０を構成し、前軸２の後端部内に、中間軸３の前軸連結部３Ａを乗り越し嵌合によって連結してある。また、中間軸３の後軸連結部３Ｅには雄ねじ部３Ｄを設け、後軸４の前端部の内面に設けた雌ねじ部４Ａに螺着してある。さらに、筆記具１は、前軸２の外面を周方向に取り囲む不透明のグリップ５（不透過部）と、軸筒本体２０内に出没可能に収容された筆記体６と、を備えている。また、前軸２、中間軸３、後軸４は樹脂製であり、グリップ５はゴム製である。尚、図示された例において、筆記具１はボールペンである。
【００１８】
前軸２は、前端に筆記体６の筆記部（ボールペンチップ）７が突出可能な開口部２Ａが形成されている。また、筆記体６は、前軸２内に配設したコイルスプリング８によって、軸筒本体の軸方向後方（図２における右方）に付勢されて配設してある。
【００１９】
出没機構は、後軸４内に筆記体６の筆記部７の出没切替のための回転カム９と当該回転カム９に係合するカム溝４Ｄ（図６参照）を有するカム機構が設けられている。筆記体６の筆記部７が前軸２内に没入した状態（図２参照）でノック部材１０が押圧操作（ノック操作）されると、回転カム９がカム溝４Ｄに沿って摺動し、筆記体６の筆記部７が前軸２の開口部２Ａから前方へ突出され、更に、カム機構の作用によって回転カム９が回転されることによって、軸筒本体２０の軸方向後方への筆記体６の相対移動が禁止され、押圧操作の終了後もこの突出状態が維持されるようになっている。また、この突出状態で再度ノック部材１０が押圧操作（ノック操作）されると、カム機構の作用によって軸筒本体２０の軸方向後方への筆記体６の相対移動が許容され、コイルスプリング８の付勢力によって筆記体６及びノック部材１０が軸方向後方に押し戻されて初期状態が復帰されるようになっている。
【００２０】
筆記体６について詳述すると、インキ収容筒１１の前端部に、φ０．５ｍｍのボールを回転自在に抱持したボールペンチップからなる筆記部７を装着してある。また、インキ収容筒１１内には、図示はしていないが、ティー・エイ・インスツルメント株式会社製ＡＲ−Ｇ２（ステンレス製４０ｍｍ２）を用いた２０℃の環境下で、剪断速度５ｓｅｃ−１にて測定したインキ粘度が１５０００ｍＰａ・ｓである黒色の油性ボールペン用インキを直に収容してある。
【００２１】
また、図３に示すように、前軸２の後部内面には、内方に向かって円周状に突出する突部２Ｂを長手方向の異なる位置に２カ所（２ＢＡ、２ＢＢ）設けてある。また、図４に示すように、中間軸３の前軸連結部３Ａの外面には、前軸２の突部２ＢＡ、２ＢＢに対応する、外方に向かって円周状に突出する突部３Ｂを長手方向の異なる位置に２カ所（３ＢＡ、３ＢＢ）設けてあり、前軸２と中間軸３は、前軸２の後端部の内面に設けた突部２ＢＡ、２ＢＢと、中間軸３の前軸連結部３Ａの外面に設けた突部３ＢＡ、３ＢＢとが乗り越し係合することによって連結されている。
【００２２】
前軸２の突部２Ｂの後方には、円周方向の均等の８カ所に長手方向に延びる凹溝２Ｃを設けてある。さらに、中間軸３の突部３Ｂの後方には、円周方向の均等の４カ所に長手方向に延びる突起３Ｃを設けてある。前軸２と中間軸３が乗り越し係合したとき、前軸２の凹溝２Ｃと中間軸３の突起３Ｃとが係合し、前軸２と中間軸３は回転不能に連結される。
尚、中間軸３は透過性のある樹脂材料で形成してあり、中間軸３の中間部には内部を透視するための透過部３Ｆを形成してある。また、前軸２の外面は前述したように不透明のグリップ５（不透過部）で覆われているため、中間軸３の前軸連結部３Ａは外方からは透視することはできないよう構成してあり、外観を損なうことがない。
【００２３】
また、中間軸３と後軸４は、中間軸３の後部の外面に設けた雄ねじ部３Ｄと、後軸４の前部の内面に設けた雌ねじ部４Ａとが着脱自在に螺着されている。また、後軸４の後部には、クリップ１２を装着してある。（図２参照）
尚、後軸４は不透過性の樹脂材料で成形してあるため、中間軸３と後軸４との螺子係合部である後軸連結部３Ｅは後軸４（不透過部）により外部から透視できないよう構成されており、外観を損なうことがない。
【００２４】
次に、図２、図５、図６、図７及び図８に示すように  中間軸３の内方には、筒状に形成した筒状体１３が着脱自在に装着してある。この筒状体１３には、鍔部１３Ｄに外方へ向かって突出する被係止部１３Ａが軸心を挟んで対向した位置に２カ所設けてあり、鍔部１３Ｄには、円周方向の均等の４カ所に段状に形成した爪部１３Ｂを設けてある。また、後軸４の内面には凹状に形成した係止部４Ｂが軸心を挟んで対向した位置に２カ所形成してあり、更に後軸４の内面には、円周方向の均等の４カ所に内方に向かって突出する膨出部４Ｃを設けてある。
ここで、筒状体１３と後軸４とは、後軸４の係止部４Ｂに筒状体１３の被係止部１３Ａ挿入することで回動不能に装着してあり、更に、筒状体１３の爪部１３Ｂを後軸４の膨出部４Ｃに乗り越え嵌合することで後軸４と筒状体１３とを係止してある。このため、筒状体１３と後軸４との回転位置は、被係止部１３Ａ及び係止部４Ｂに対して決められた状態で装着される。
尚、筒状体１３の爪部１３Ｂと後軸４の膨出部４Ｃとの乗り越え嵌合は弱く設定してあり、筒状体１３を後軸４に対して前方に引っ張ることで乗り越え嵌合が解除されて、筒状体１３が後軸４から外れるように構成してある。
【００２５】
筒状体１３について更に詳述すると、図５に示すように、筒状体１３の側面には加飾部１３Ｃ（図５におけるＸＹＺ）が設けてあり、加飾部１３Ｃは印刷、転写、塗装、シールの貼り付け、彫刻、成形などより加飾を施すことが可能である。実施例１において加飾部１３Ｃは、印刷により加飾することで外観を向上させてある。尚、加飾部１３Ｃに加飾する際、筒状体１３の被係止部１３Ａを目印にして回転位置を合わせて印刷することで、加飾部１３Ｃと後軸４の外観の回転位置とを合わせることができる。また、加飾部１３Ｃは中間軸３の透過部３Ｆから透視可能である。
【００２６】
ここで、図８（Ａ、Ｂ、Ｃ）を用いて、筒状体１３を後軸４に装着し、更に中間軸３と後軸４とを螺合する際の組み立て動作を説明する。
図８（Ａ）に示すように、後軸４の内面に形成した係止部４Ｂに筒状体１３の被係止部１３Ａを合わせて後部から挿入し、筒状体の外周部の爪部１３Ｂを膨出部４Ｃに対して乗り越え嵌合させることで装着する。更に、図８（Ｂ）に示すように、後軸４から前方へ突出した筒状体１３の加飾部１３Ｃに中間軸３の雄ねじ部３Ｄを挿入し、筒状体１３をガイドにしつつ中間軸３を後方（図８における矢印方向）へ押し込み、中間軸３の雄ねじ部３Ｄを後軸４の雌ねじ部４Ａに誘導し、雌ねじ部４Ａに雄ねじ部３Ｄを螺合して中間軸３と後軸４とを連結する。
この際、後軸４に装着したクリップ１２の回転位置に合わせて内部の係止部４Ｂを形成してあるため、筒状体１３の加飾部１３Ｃの印刷文字がクリップ１２の回転位置に合わせて装着され、図８（Ｃ）の状態となる。
また、筒状体１３の加飾部１３Ｃの長さを中間軸３の雄ねじ部３Ｄの長さより長く形成してあるため、中間軸３を後軸４にねじ込む際に筒状体１３の加飾部１３Ｃでしっかり支えることができ、連結させる際に中間軸３を落下させるなどの作業ミスを防止することができる。
【００２７】
ここで、筆記体６を交換するには、例えば、前軸２と後軸４を掴み、中間軸３と後軸４とが螺着する反対側に回転を加えることで、前軸２と中間軸３とが回転を防止しているため、中間軸３と後軸４の螺着を取り外すことができ、その結果、中間軸３の後端から筆記体６を取り外して交換することができる。
また、この際、筒状体１３は後軸から前方へ向かって突出した状態となるため、筒状体１３を前方に引っ張ることで、後軸４の膨出部４Ｃが筒状体１３の爪部１３Ｂとの乗り越え嵌合が解除され、後軸４から筒状体１３を取り外すことができる。
このため、軸筒本体２０の内部の加飾が筒状体１３を交換することで自由に変更できる他、加飾がない仕様にも容易に変更することが可能である。
【００２８】
また、前記した軸筒本体２０には、ポリプロピレン、ポリカーボネート、アクリルニトリルスチレン、ポリエチレンテレフタレートなど、筆記具の軸筒として知られている樹脂材料を適宜選択して用いることができる。具体的には、中間軸３には、軸筒本体２０内の視認性を考慮することを鑑みて、ポリカーボネート、ＡＢＳ樹脂が好ましく、前軸２にはグリップ５の装着性や、前軸２と中間軸３とが乗り越し係合することを鑑みて、ポリプロピレン、アクリルニトリルスチレンが好ましく、後軸４は、印刷やシール貼付などの加飾性や出没機構の摺動性を鑑みて、ポリカーボネート、アクリルニトリルスチレンとすることが好ましい。
【００２９】
次に図９〜図１２を用いて、本実施の第二の形態（実施例２）について説明する。尚、実施例１と同じ部分は説明を省略する。
図９〜図１２に示すように、実施例２の筆記具１００では、中間軸１０３の内方に、筒状に形成した筒状体１１３が着脱自在に装着してある。この筒状体１１３の後部には、円周方向の均等の４カ所に被掛止部１１３Ａが設けてあり、被掛止部１１３Ａには外方へ向かって突出する凸部１１３Ｂが設けてある。また、中間軸１０３の後軸連結部１０３Ｅの後端には、円周方向の均等の４カ所に掛止部１０３Ｇが設けてあり、掛止部１０３Ｇには凹状に形成した凹部１０３Ｈが設けてある。
ここで、中間軸１０３と筒状体１１３とは、筒状体１１３の凸部１１３Ｂを中間軸１０３の凹部１０３Ｈに挿入することで掛止してある。また、筒状体１１３の凸部１１３Ｂと中間軸１０３の凹部１０３Ｈとの嵌合力は弱く設定してあり、筒状体１１３を中間軸１０３に対して後方に引っ張ることで掛止が解除されて、筒状体１１３が中間軸１０３から外れるように構成してある。
【００３０】
筒状体１１３について更に詳述すると、図１１に示すように、筒状体１１３の側面には加飾部１１３Ｃ（図１１におけるＸＹＺ）が設けてあり、加飾部１１３Ｃは印刷、転写、塗装、シールの貼り付け、彫刻、成形などにより加飾を施すことが可能である。実施例２においては加飾部１１３Ｃに転写により加飾をすることで外観を向上させてある。尚、加飾部１１３Ｃに加飾する際、筒状体１１３の被掛止部１１３Ａを目印にして回転位置を合わせることで、加飾部１１３Ｃと中間軸１０３との回転位置とを合わせることができる。
また、中間軸１０３の雄ねじ部１０３Ｄと後軸１０４の雌ねじ部１０４Ａとの螺合を外すことにより筒状体１１３を中間軸１０３から取り外すことができるため、筒状体１１３を別な加飾を施した筒状体に交換したり、取り外したままの状態にして加飾なしにすることが可能である。
【００３１】
尚、中間軸１０３は透過性のある樹脂材料で形成してあり、中間軸１０３の中間部には内部を透視するための透過部１０３Ｆを形成してあるため、透過部１０３Ｆを通して筒状体１３の加飾部１１３が透視可能に構成してある。
また、後軸１０４は不透過性の樹脂材料で形成してあり、筒状体１１３の被掛止部１１３Ａと中間軸１０３の掛止部１０３Ｇとの連結部１１４が後軸１０４の内部に位置するよう構成してあるため（図９参照）、中間軸１０３と筒状体１１３との連結部１１４は、透過部１０３Ｆを通して外方から視認することはできず、外観を損なうことが無い。
【産業上の利用可能性】
【００３２】
本発明の筆記具は、インキの種類やペン先に限定されることなく、筆記具として広く実施可能である。
【符号の説明】
【００３３】
１  筆記具
２  前軸
２Ａ  開口部
２Ｂ  突部
２Ｃ  凹溝
３  中間軸
３Ａ  前軸連結部
３Ｂ  突部
３Ｃ  突起
３Ｄ  雄ねじ部
３Ｅ  後軸連結部
３Ｆ  透過部
４  後軸
４Ａ  雌ねじ部
４Ｂ  係止部
４Ｃ  膨出部
４Ｄ  カム溝
５  グリップ
６  筆記体
７  筆記部
８  コイルスプリング
９  回転カム
１０  ノック部材
１１  インキ収容筒
１２  クリップ
１３  筒状体
１３Ａ  被係止部
１３Ｂ  爪部
１３Ｃ  加飾部
１３Ｄ  鍔部
２０  軸筒本体
１００  筆記具
１０３  中間軸
１０３Ｄ  雄ねじ部
１０３Ｅ  後部連結部
１０３Ｆ  透過部
１０３Ｇ  掛止部
１０３Ｈ  凹部
１０４  後軸
１０４Ａ  雌ねじ部
１１３  筒状体
１１３Ａ  被掛止部
１１３Ｂ  凸部
１１３Ｃ  加飾部
１１４  連結部
【図１】
2018001541.tif 000003
【図２】
2018001541.tif 000004
【図３】
2018001541.tif 000005
【図４】
2018001541.tif 000006
【図５】
2018001541.tif 000007
【図６】
2018001541.tif 000008
【図７】
2018001541.tif 000009
【図８】
2018001541.tif 000010
【図９】
2018001541.tif 000011
【図１０】
2018001541.tif 000012
【図１１】
2018001541.tif 000013
【図１２】
2018001541.tif 000014